(57)【特許請求の範囲】
【請求項１】
屋根に取り付けするための取付板部に、雪止め用アングルを係止固定し得るアングル係止部を設けた雪止め金具において、前記取付板部の先端部に、前記雪止め用アングルに上方から被嵌する被嵌体を係止固定することで前記アングル係止部を構成し、この被嵌体は、雪止め用アングルの前後に配されて取付板部に係止固定する前後の脚部を有する形状に形成すると共に、この前後の脚部に夫々係止突部を設けてこの各係止突部を取付板部前端部の前後二箇所に設けた係止孔に嵌挿し得るように構成し、この被嵌体の後側脚部の係止突部は、取付板部前端部の後側に設けた前記係止孔に嵌挿させた上で取付板部の後方側に移動させるとこの後側の係止孔に対して抜け止め状態に係止するように構成すると共に、この際係止孔に係止している係止突部を支点にして被嵌体を下方へ回動するとこの被嵌体の前側の前記脚部に設けた係止突部を前側の前記係止孔に嵌挿可能となるように被嵌体を構成し、この夫々の係止孔に前後夫々の前記係止突部を嵌挿した際に，被嵌体を取付板部の長さ方向に沿って前端側にスライド移動させて各係止突部を各係止孔に対しスライド移動させることで，各係止突部を各係止孔から抜け止め状態とする抜け止め機構をこの各係止突部と各係止孔とに設け、前記被嵌体の前側脚部と後側脚部とから夫々前記係止突部を下方へ切り出し形成すると共に、この係止突部が切り出された残存部分を前記取付板部の上面に当接するガイド部とし、前記取付板部の先端側の下面を上方へ凹設することにより上面を凸設して、この凸設面部が取付板部を屋根上に取り付けした際に屋根面から浮上状態となるように構成し、この凸設面部に前記係止孔を設けて、この係止孔に嵌挿させた前記係止突部が屋根面に接することなく凸設面部の下方に突出するように構成したことを特徴とする雪止め金具。
【請求項２】
前記被嵌体の後側の脚部に設けた前記係止突部は、前記取付板部前端部に設けた後側の係止孔に嵌挿して前記取付板部の基端側へ移動させた際に、この後側の係止孔の後端側孔縁に抜け止め状態に係止し得る係止片部を設けて構成したことを特徴とする請求項１記載の雪止め金具。
【請求項３】
前記各係止突部は、夫々の突出先端部に左右方向に幅を有する形状の広幅係止部を形成し、この各係止突部を嵌挿する前記各係止孔は、嵌挿した各係止突部を前記取付板部に対して取付板部の長さ方向に沿ってスライド可能とする長孔に形成すると共に、この長孔形状の各係止孔は、取付板部の前側に位置する所定範囲部分の左右幅寸法を前記各広幅係止部が嵌挿し得ない幅寸法に設定して、この各係止孔の取付板部後端側となる広幅部分に嵌挿した各係止突部を，前記被嵌体を取付板部の前方側へスライド移動することで各係止孔の狭幅部分に移動させると、この各係止突部の前記広幅係止部が各係止孔の前側の狭幅部分の孔縁に係止して抜け止め状態となるように設けて、前記抜け止め機構を構成したことを特徴とする請求項１，２のいずれか１項に記載の雪止め金具。
【発明の詳細な説明】
【０００１】
【発明の属する技術分野】
本発明は、屋根上に雪止め用アングルを固定する雪止め金具に関するものである。
【０００２】
【従来の技術及び発明が解決しようとする課題】
屋根上に雪止め用アングルを固定するタイプの雪止め金具としては、従来、屋根板に打ち付けたり引っ掛けたりして取り付けするための取付板部に、雪止め用アングルを差し込み配設し得る側断面略三角形状のアングル係止部を設けた構成のものが一般的である。
【０００３】
しかしながら、この従来の雪止め金具は、例えば、取付板部の先端部を三角形状に折り返し形成し、この折り返し先端を取付板部に溶接することによってアングル係止部を形成しているものであったために、この溶接作業を要することで製作が厄介となってしまっていた。
【０００４】
本発明は、このようなアングル係止部を備えた従来の雪止め金具の欠点に注目し、これを解決するもので、取付板部の先端部に、雪止め用アングルに上方から被嵌する被嵌体を係止固定してアングル係止部を構成する構造とすることによって、製作にあたって従来のような溶接作業は不要で容易に製作可能となり、しかも被嵌体の取付板部への係止固定作業も極めて簡易に行うことができる画期的な雪止め金具を提供するものである。
【０００５】
【課題を解決するための手段】
添付図面を参照して本発明の要旨を説明する。
【０００６】
屋根に取り付けするための取付板部１に、雪止め用アングル２を係止固定し得るアングル係止部３を設けた雪止め金具において、前記取付板部１の先端部に、前記雪止め用アングル２に上方から被嵌する被嵌体４を係止固定することで前記アングル係止部３を構成し、この被嵌体４は、雪止め用アングル２の前後に配されて取付板部１に係止固定する前後の脚部４Ａ・４Ｂを有する形状に形成すると共に、この前後の脚部４Ａ・４Ｂに夫々係止突部５Ａ・５Ｂを設けてこの各係止突部５Ａ・５Ｂを取付板部１前端部の前後二箇所に設けた係止孔６Ａ・６Ｂに嵌挿し得るように構成し、この被嵌体４の後側脚部４Ｂの係止突部５Ｂは、取付板部１前端部の後側に設けた前記係止孔６Ｂに嵌挿させた上で取付板部１の後方側に移動させるとこの後側の係止孔６Ｂに対して抜け止め状態に係止するように構成すると共に、この際係止孔６Ｂに係止している係止突部５Ｂを支点にして被嵌体４を下方へ回動するとこの被嵌体４の前側の前記脚部４Ａに設けた係止突部５Ａを前側の前記係止孔６Ａに嵌挿可能となるように被嵌体４を構成し、この夫々の係止孔６Ａ・６Ｂに前後夫々の前記係止突部５Ａ・５Ｂを嵌挿した際に，被嵌体４を取付板部１の長さ方向に沿って前端側にスライド移動させて各係止突部５Ａ・５Ｂを各係止孔６Ａ・６Ｂに対しスライド移動させることで，各係止突部５Ａ・５Ｂを各係止孔６Ａ・６Ｂから抜け止め状態とする抜け止め機構７をこの各係止突部５Ａ・５Ｂと各係止孔６Ａ・６Ｂとに設け、前記被嵌体４の前側脚部４Ａと後側脚部４Ｂとから夫々前記係止突部５Ａ・５Ｂを下方へ切り出し形成すると共に、この係止突部５Ａ・５Ｂが切り出された残存部分を前記取付板部１の上面に当接するガイド部９とし、前記取付板部１の先端側の下面を上方へ凹設することにより上面を凸設して、この凸設面部10が取付板部１を屋根上に取り付けした際に屋根面から浮上状態となるように構成し、この凸設面部10に前記係止孔６Ａ・６Ｂを設けて、この係止孔６Ａ・６Ｂに嵌挿させた前記係止突部５Ａ・５Ｂが屋根面に接することなく凸設面部10の下方に突出するように構成したことを特徴とする雪止め金具に係るものである。
【０００７】
また、前記被嵌体４の後側の脚部４Ｂに設けた前記係止突部５Ｂは、前記取付板部１前端部に設けた後側の係止孔６Ｂに嵌挿して前記取付板部１の基端側へ移動させた際に、この後側の係止孔６Ｂの後端側孔縁に抜け止め状態に係止し得る係止片部５Ｂ’を設けて構成したことを特徴とする請求項１記載の雪止め金具に係るものである。
【０００８】
また、前記各係止突部５Ａ・５Ｂは、夫々の突出先端部に左右方向に幅を有する形状の広幅係止部８を形成し、この各係止突部５Ａ・５Ｂを嵌挿する前記各係止孔６Ａ・６Ｂは、嵌挿した各係止突部５Ａ・５Ｂを前記取付板部１に対して取付板部１の長さ方向に沿ってスライド可能とする長孔に形成すると共に、この長孔形状の各係止孔６Ａ・６Ｂは、取付板部１の前側に位置する所定範囲部分の左右幅寸法を前記各広幅係止部８が嵌挿し得ない幅寸法に設定して、この各係止孔６Ａ・６Ｂの取付板部１後端側となる広幅部分に嵌挿した各係止突部５Ａ・５Ｂを，前記被嵌体４を取付板部１の前方側へスライド移動することで各係止孔６Ａ・６Ｂの狭幅部分に移動させると、この各係止突部５Ａ・５Ｂの前記広幅係止部８が各係止孔６Ａ・６Ｂの前側の狭幅部分の孔縁に係止して抜け止め状態となるように設けて、前記抜け止め機構７を構成したことを特徴とする請求項１，２のいずれか１項に記載の雪止め金具に係るものである。
【０００９】
【発明の実施の形態】
好適と考える本発明の実施の形態（発明をどのように実施するか）を、図面に基づいてその作用効果を示して簡単に説明する。
【００１０】
取付板部１の前端部上に被嵌体４を配設し、図３に示すようにこの被嵌体４の後側の脚部４Ｂに設けた係止突部５Ｂを取付板部１前端部の後側に設けた係止孔６Ｂに嵌挿した上でこの係止突部５Ｂ（被嵌体４）を取付板部１の後方側に移動させると、図４に示すようにこの係止突部５Ｂが係止孔６Ｂに対して上方へ抜け止め状態に係止する。
【００１１】
そして、この際、係止孔６Ｂに係止している係止突部５Ｂを支点にして被嵌体４を下方へ回動すると、この被嵌体４の前側の脚部４Ａに設けた係止突部５Ａが、取付板部１前端部の前側に設けた係止孔６Ａに嵌挿可能であるので、この前側の係止突部５Ａを前側の係止孔６Ａに嵌挿し、この前後双方の係止突部５Ａ・５Ｂを前後の係止孔６Ａ・６Ｂに嵌挿した状態で図５に示すように被嵌体４を取付板部１の前方側にスライド移動させて各係止突部５Ａ・５Ｂを各係止孔６Ａ・６Ｂに対して移動させると、抜け止め機構７を介して各係止孔６Ａ・６Ｂから各係止突部５Ａ・５Ｂが抜け止め状態となり、取付板部１上に被嵌体４が固定されてアングル係止部３が形成されることになる。
【００１２】
従って、製作にあたって従来のような溶接作業は不要であるので容易に製作可能となり、しかも、上記したように先ず後側の脚部４Ｂの係止突部５Ｂを後側の係止孔６Ｂに係止しておいて被嵌体４を前側へ回動すると前側の脚部４Ａの係止突部５Ａが前側の係止孔６Ａに嵌挿し得る位置にあるので、前後の係止突部５Ａ・５Ｂと前後の係止孔６Ａ・６Ｂとの位置合わせが容易に行えるし、この前後の係止突部５Ａ・５Ｂを前後の係止孔６Ａ・６Ｂに嵌挿した状態で、単に被嵌体４を取付板部１の前方側にスライド移動するだけで被嵌体４が取付板部１に対して係止固定されることになるので、この被嵌体４の取付板部１への係止固定作業も極めて容易に行われることになる極めて実用性に秀れた画期的な雪止め金具となる。
【００１３】
【実施例】
本発明の具体的な実施例について図面に基づいて説明する。
【００１４】
本実施例は、図１に示すような屋根に取り付けするための帯状の取付板部１に、雪止め用アングル２を係止固定し得るアングル係止部３を設けた雪止め金具において、前記取付板部１の前端部に、前記雪止め用アングル２に上方から被嵌する被嵌体４を係止固定することで前記アングル係止部３を構成している。
【００１５】
被嵌体４は、図２〜図５に示すように帯状板材を逆Ｖ字状に折曲して雪止め用アングル２の前後に配される前後の脚部４Ａ・４Ｂを有する形状に構成し、この被嵌体４の前後の脚部４Ａ・４Ｂの夫々の下端部に夫々係止突部５Ａ・５Ｂを設けている。
【００１６】
この各係止突部５Ａ・５Ｂについて具体的に説明すると、前後の脚部４Ａ・４Ｂの下端部を、前側の脚部４Ａの下端は略水平前方に折曲させ、後側の脚部４Ｂの下端は略水平後方に折曲させた構成としている。
【００１７】
また、更にこの前後夫々の折曲先（下）端の中央部を下方へ切り出し形成してこの下方へ略垂下する前後の各切り出し片の途中部を、前側脚部４Ａの切り出し片は略水平前方へ向かうように略直角に折曲し、後側脚部４Ｂの切り出し片は略水平後方へ向かうように略直角に折曲して、この前方若しくは後方に向かう夫々の切り出し片を前記係止突部５Ａ・５Ｂとしている。
【００１８】
また、この各係止突部５Ａ・５Ｂの左右にある残存片部を、前記取付板部１前端部の上面に当接するガイド片部９に形成し、このガイド片部９により被嵌体４が取付板部１の上面をスムーズにスライド移動し得るように構成している。
【００１９】
本実施例では、この夫々の係止突部５Ａ・５Ｂを取付板部１の前端部の前後二箇所に設けた係止孔６Ａ・６Ｂに嵌挿し得るように構成している。
【００２０】
また、本実施例では、この被嵌体４の後側脚部４Ｂに設けた係止突部５Ｂを、取付板部１前端部に設けた後側の前記係止孔６Ｂに嵌挿させた上で後側に移動させることでこの係止孔６Ｂに対して抜け止め状態に係止するように構成すると共に、この際係止孔６Ｂに係止した係止突部５Ｂを支点にして被嵌体４を下方に回動させるとこの被嵌体４の前側の前記脚部４Ａに設けた係止突部５Ａを前側の前記係止孔６Ａに嵌挿可能となるように被嵌体４の形状を設計している。
【００２１】
具体的に説明すると、被嵌体４の後側の脚部４Ｂに設けた前記係止突部５Ｂに、この係止突部５Ｂを前記後側の係止孔６Ｂに嵌挿して前記取付板部１の後方側へスライド移動させた際にこの後側の係止孔６Ｂの後方側孔縁に抜け止め状態に係止し得る係止片部５Ｂ’を設けて構成している。
【００２２】
更に説明すると、この係止片部５Ｂ’は、略水平後方に突出する前記係止突部５Ｂの突出先端部で構成し、この係止突部５Ｂを係止孔６Ｂに対して後方側へスライド移動させることでこの係止片部５Ｂ'が係止孔６Ｂの後方側孔縁の下面に引っ掛かり係止し、抜け止め状態となる構成としている。
【００２３】
本実施例では、この後側の係止突部５Ｂを後側の係止孔６Ｂに嵌挿した状態では、前側の係止突部５Ａが前側の係止孔６Ａに嵌挿することができず、この後側の係止突部５Ｂを後側の係止孔６Ｂに対して後方へスライドさせて、この後側の係止孔６Ｂの取付板部１の後方側孔縁に前記係止片部５Ｂ’（後側の脚部４Ｂに設けた広幅係止部８）を係止させた際に、前側の係止突部５Ａが前側の係止孔６Ａに嵌挿可能な状態となるように前後の脚部４Ａ・４Ｂ間の幅寸法と前後の係止部６Ａ・６Ｂ間の幅寸法とを設定構成している。
【００２４】
また、本実施例では、この夫々の係止孔６Ａ・６Ｂに前後夫々の前記係止突部５Ａ・５Ｂを嵌挿した際，被嵌体４を取付板部１の長さ方向に沿って前方側にスライド移動させて各係止突部５Ａ・５Ｂを各係止孔６Ａ・６Ｂに対して移動させることで，各係止突部５Ａ・５Ｂを各係止孔６Ａ・６Ｂから抜け止め状態とする抜け止め機構７をこの各係止突部５Ａ・５Ｂと各係止孔６Ａ・６Ｂとに設けている。
【００２５】
この抜け止め機構７について具体的に説明すると、本実施例では、図６に示すように各係止突部５Ａ・５Ｂの夫々の突出先端部（水平片部）を、切り出し片の基端の垂下片部よりも左右方向に幅を有する形状の広幅係止部８に形成している。
【００２６】
また、前記各係止孔６Ａ・６Ｂを、嵌挿した前記各係止突部５Ａ・５Ｂが前記取付板部１に対して取付板部１の長さ方向にスライド可能とする長孔に形成している。
【００２７】
また、この長孔形状の各係止孔６Ａ・６Ｂは、その略中程から取付板部１前側に位置する部分にかけて部位の左右幅寸法を前記各広幅係止部８が嵌挿し得ない幅寸法であって且つ広幅係止部８より基端側の垂下片部がスライド自在に嵌挿し得る幅寸法に設定すると共に、この各係止孔６Ａ・６Ｂの取付板部１後方側に残った部分の左右幅寸法を広幅係止部８が嵌挿し得る幅寸法に設定して、図２に示すような略凸字状の孔形状に形成している。
【００２８】
従って、この各係止孔６Ａ・６Ｂの取付板部１後方側に位置している広幅部分から嵌挿した各係止突部５Ａ・５Ｂを，前記被嵌体４を取付板部１の前方側へスライド移動することで各係止孔６Ａ・６Ｂの狭幅部分に移動させると、この各係止突部５Ａ・５Ｂの前記広幅係止部８が各係止孔６Ａ・６Ｂの狭幅部分の孔縁に係止して抜け止め状態となるように構成している。また、この際、本実施例では、前記ガイド片部９により取付板部１に対して被嵌体４をスムーズにスライド移動させることができる。
【００２９】
また、本実施例では、取付板部１の前端部の両端側を除いた部分を、下面を上方へ凹設することにより上面を凸設し、この前端部分の凸設面部10に前記各係止孔６Ａ・６Ｂを設けている。従って、これによりこの取付板部１を屋根上に取り付けると、この取付板部１の先端部の下面が屋根面から浮上した状態となるので、この凸設面部10の下面より下方に突出して取付板部１の長さ方向（前後方向）にスライドする前記各係止突部５Ａ・５Ｂが屋根面に接することなくスムーズにスライド移動することになり、これにより被嵌体４の取付板部１への係止固定作業が容易に行われることになる構成としている。
【００３０】
尚、図中符号11は、前記被嵌体４に設けた補強リブであって、この補強リブ11によって被嵌体４の強度を向上させている。
【００３１】
【発明の効果】
本発明は上述のように構成したから、製作にあたって従来のような厄介な溶接作業が不要であるので容易に製作可能となり、しかも、先ず後側の脚部の係止突部を後側の係止孔に係止しておいて被嵌体を前側へ回動すると前側の脚部の係止突部が前側の係止孔に嵌挿し得る位置にあることになる構成であるため、前後の係止突部と前後の係止孔との位置合わせが容易に行えるし、この前後の係止突部を前後の係止孔に嵌挿した状態で、単に被嵌体を取付板部の前方側にスライド移動するだけで被嵌体が取付板部に対して係止固定されることになるので、この被嵌体の取付板部への係止固定作業も極めて容易に行われることになる極めて実用性に秀れた画期的な雪止め金具となる。
【００３２】
また、請求項２記載の発明においては、取付板部の前端部に設けた後側の係止孔に被嵌体の後側の脚部に設けた係止突部を嵌挿した際に、この係止突部を後側に移動することでこの係止突部が係止孔に対して抜け止め状態に係止する係止構造を簡易に設計実現可能となる一層実用性に秀れた構成の雪止め金具となる。
【００３３】
また、請求項３記載の発明においては、前記作用効果を確実に発揮する抜け止め機構を簡易構成にして容易に設計実現可能となり、量産性に秀れ安価に構成可能となる一層実用性に秀れた構成の雪止め金具となる。
【図面の簡単な説明】
【図１】  本実施例を示す斜視図である。
【図２】  本実施例の被嵌体を取付板部から分離させた状態を示す斜視図である。
【図３】  本実施例の被嵌体の後側の係止突部を、取付板部の後側の係止孔に嵌挿した状態を示す取付板部を切り欠いた説明側面図である。
【図４】  図３の状態から、後側の係止突部を取付板部の後方側へスライド移動させて、前側の係止突部を取付板部の前側の係止孔に嵌挿した状態を示す一部を切り欠いた説明側面図である。
【図５】  図４の状態から、被嵌体を取付板部の先端側へスライド移動させた抜け止め状態を示す一部を切り欠いた説明側面図である。
【図６】  本実施例の抜け止め機構を示す説明図である。
【符号の説明】
１  取付板部
２  雪止め用アングル
３  アングル係止部
４  被嵌体
４Ａ  脚部
４Ｂ  脚部
５Ａ  係止突部
５Ｂ  係止突部
５Ｂ’  係止片部
６Ａ  係止孔
６Ｂ  係止孔
７  抜け止め機構
８  広幅係止部
９ ガイド部
10 凸設面部
【図１】
0004422275.tif 000002
【図２】
0004422275.tif 000003
【図３】
0004422275.tif 000004
【図４】
0004422275.tif 000005
【図５】
0004422275.tif 000006
【図６】
0004422275.tif 000007